(57)【要約】【課題】簡単な構成で隣接するセグメント同士を確実に締結することのできるセグメントの接続方法と、これに使用される仮設セグメント継手を提供する。【解決手段】セグメント１５の端部に、アンカー部材１４を、セグメント１５の内面の法線ｎの方向に対してセグメントの接続面側とは反対の方向にθだけ傾けて埋設するとともに、隣接するセグメント１５，１５間に継手金物１１を配置し、この継手金物１１を介して、隣接するセグメント１５，１５の各アンカー部材１４，１４にそれぞれアンカーボルト１３，１３を螺入して、上記隣接するセグメント１５，１５同士を結合するようにした。【選択図】        図１
2005042368.tif 000002
【特許請求の範囲】
【請求項１】
セグメント内面側の端部に、アンカー部材を、セグメント内面の法線方向に対してセグメントの接続面側とは反対の方向に傾けて埋設するとともに、隣接するセグメント間に継手金物を配置し、この継手金物を介して、隣接するセグメントの各アンカー部材にそれぞれボルトを螺入し、上記隣接するセグメント同士を結合するようにしたことを特徴とするセグメントの接続方法。
【請求項２】
隣接するセグメントを接続するための仮設セグメント継手であって、セグメント内面側の端部に埋設された、セグメント内面の法線方向からセグメントの接続面側とは反対の方向に傾けて埋設されたアンカー部材にボルトを挿入するための少なくとも２つのボルト挿入口を有する継手金物を備えたことを特徴とする仮設セグメント継手。
【請求項３】
上記継手金物両端部に、面取り部を設けたことを特徴とする請求項２に記載の仮設セグメント継手。
【請求項４】
上記継手金物の下面の断面形状を、当該セグメントの曲率よりも小さな曲率を有する円弧状としたことを特徴とする請求項２に記載の仮設セグメント継手。
【発明の詳細な説明】
【０００１】
【発明の属する技術分野】
本発明は、シールドトンネルに使用されるセグメントの接続方法に関するもので、特に、セグメントの組立時やセグメントが施工時荷重を受ける期間のみ隣接するセグメント同士を締結するための仮設セグメント継手に関する。
【０００２】
【従来の技術】
従来、シールド工法においては、図６に示すように、セグメント５０の組立時に上記セグメント５０の内面側の端部に仮設の継手金物３０を取付けてボルト接合にてセグメント５０，５０同士を締結し、セグメント５０の組立完了後も、セグメント５０が施工時荷重（掘進推力）を受ける期間は、上記継手金物３０をセグメント５０に取付けたままにしておくことにより、上記荷重により発生するセグメント５０，５０間の目違いや目開きを防止するようにしている。上記継手金物３０は当該セグメント５０に作用する施工時荷重の大きさが影響範囲外となりセグメント５０が安定した段階で取り外され、シールド先端側のこれから組み立てるセグメントを接続するのに使用される。
図７（ａ），（ｂ）は上記従来の継手金物３０の詳細を示す図で、この継手金物３０は、セグメント５０に取付ける側辺３０ａとセグメント５０の表面より起立して継手金物３０，３０同士を緊結するための側辺３０ｂとから成るＬ字状の部材で、上記側辺３０ａにはインサートボルト孔３１が、上記側辺３０ｂにはボルト孔３２がそれぞれ穿設してあり、２個の継手金物３０，３０により、隣接するセグメント５０，５０の側縁中間部同士を接続する。
具体的には、互いに当接された隣接するセグメント５０，５０の側縁中間部の所定の位置に予め埋設されたアンカー部材５１，５１に、上記継手金物３０，３０のインサートボルト孔３１，３１からそれぞれインサートボルト３３，３３を螺着して上記継手金物３０，３０を上記セグメント５０，５０に取付けた後、上記継手金物３０，３０の側辺３０ｂ，３０ｂ同士をボルト３４及びナット３５にて締結することにより、隣接するセグメント５０，５０同士を接続する（例えば、特許文献１参照）。
【０００３】
【特許文献１】
特開昭６３−５９８号公報（第２頁、第２図）
【０００４】
【発明が解決しようとする課題】
しかしながら、上記従来の方法では、インサートボルト３３がセグメント５０の内面の法線方向に垂直に設置されていることから、上記継手金物３０，３０を用いた場合には、上記隣接するセグメント５０，５０同士を互いに引寄せる力が弱いため、セグメント５０，５０間の目違いや目開きを十分に防止することが困難であった。
【０００５】
本発明は、従来の問題点に鑑みてなされたもので、簡単な構成で隣接するセグメント同士を確実に締結することのできるセグメントの接続方法と、これに使用される仮設セグメント継手を提供することを目的とする。
【０００６】
【課題を解決するための手段】
本発明者らは、鋭意検討を重ねた結果、隣接するセグメントをボルトにて締結する際に、上記セグメント同士を引寄せて締結するような継手構造を採ることにより上記問題点を解決することができることを見いだし、本発明に到ったものである。
すなわち、本発明の請求項１に記載のセグメントの接続方法は、セグメント内面側の端部に、アンカー部材を、セグメント内面の法線方向に対してセグメントの接続面側とは反対の方向に傾けて埋設するとともに、隣接するセグメント間に継手金物を配置し、この継手金物を介して、隣接するセグメントの各アンカー部材にそれぞれボルトを螺入し、上記隣接するセグメント同士を結合するようにしたことを特徴とするもので、これにより、セグメント同士を互いに引寄せる力を作用させながら締結することができるので、隣接するセグメント同士を確実に締結することが可能となる。
【０００７】
また、請求項２に記載の発明は、隣接するセグメントを接続するための仮設セグメント継手であって、セグメント内面側の端部に埋設された、セグメント内面の法線方向からセグメントの接続面側とは反対の方向に傾けて埋設されたアンカー部材にボルトを挿入するための少なくとも２つのボルト挿入口を有する継手金物を備えたことを特徴とするものである。
請求項３に記載の発明は、請求項２に記載の仮設セグメント継手において、上記継手金物両端部に、面取り部を設けたものである。
また、請求項４に記載の発明は、請求項２に記載の仮設セグメント継手において、上記継手金物の下面の断面形状を、当該セグメントの曲率よりも小さな曲率を有する円弧状としたものである。
【０００８】
【発明の実施の形態】
以下、本発明の実施の形態について、図面に基づき説明する。
図１（ａ），（ｂ）は、本実施の形態に係る仮設セグメント継手１０の構成を示す図で、同図において、１１は下面１１ａが平面状で、両端部にアンカーボルト挿入孔１２が形成された継手金物、１３はアンカーボルト、１４は隣接するセグメント１５，１５の側縁中間部の所定の位置に予め埋設されたアンカー部材である。本例では、上記アンカー部材１４を、セグメント１５の内面側の法線方向ｎからセグメント１５の接合面１５ａ側とは反対の方向に角度θ（３０°〜６０°程度）だけ傾けて埋設するとともに、継手金物１１に設けられるアンカーボルト挿入孔１２，１２の角度をそれぞれ隣接するセグメント１５，１５の各アンカー部材１４，１４の延長方向と一致するように形成してある。すなわち、アンカーボルト挿入孔１２，１２にアンカーボルト１３，１３を挿入した時に、上記２本のアンカーボルト１３，１３は２θの角度でそれぞれが互いに離れる方向に挿入されるので、隣接するセグメント１５，１５同士を当接させ、上記アンカーボルト１３，１３を上記アンカー部材１４，１４に螺入すると、セグメント１５，１５に作用する力は、セグメント１５の円周方向の成分を有するので、上記隣接するセグメント１５，１５同士は互いに引寄せられた状態で締結される。したがって、隣接するセグメント１５，１５同士を確実に締結することができる。
上記継手１０は、セグメント１５の組立完了後も、セグメント１５が施工時荷重（掘進推力）を受ける期間はセグメント１５に取付けたままにしておき、セグメント１５に作用する施工時荷重の大きさが影響範囲外となり上記セグメント１５が安定した段階で上記継手１０を取り外し、シールド先端側のこれから組み立てるセグメントの接合に使用する。また、セグメント１５のボルト孔（アンカー部材１４）は、当面は施工用のアンカーとして利用し、最終的にはモルタルまたは樹脂製のキャップ等で穴埋めする。
【０００９】
なお、上記例では、継手金物１１の下面１１ａを平面状としたが、図２（ａ）に示すように、下面１１ａ側の上記アンカーボルト挿入孔１２，１２を含む部分に、それぞれ面取り部１６を設けた継手金物１１Ｋを用いてもよい。あるいは、図２（ｂ）に示すように、下面１１ａの断面形状がセグメント１５の曲率よりも小さな曲率を有する円弧状である継手金物１１Ｒを用いてもよい。これにより、アンカーボルト１３，１３の締めしろを十分にとることができるので、隣接するセグメント１５，１５同士を更に確実に締結することができる。
なお、図３に示すように、一般には、上記下面１１ａ側が平面状の継手金物１１は、軸方向に隣接するセグメント１５，１５同士を締結するのに好適に用いられ、下面１１ａ側に面取り部１６を設けた継手金物１１Ｋや下面１１ａ側の断面形状が円弧状となっている継手金物１１Ｒは、周方向に隣接するセグメント１５，１５同士を締結するのに好適に用いられる。
【００１０】
また、上記例では、継手金物１１を一体で構成したが、図４に示すように、２個の継手ピース１１Ｐ，１１Ｐから構成してもよい。なお、隣接するセグメント１５，１５同士を確実に締結するためには、継手ピース１１Ｐ，１１Ｐ同士をボルト等を用いて予め接合しておくことが好ましい。
また、上記例では、隣接する２つのセグメント１５，１５同士を締結するための継手金物１１について説明したが、図５（ａ）〜（ｃ）に示すような、Ｔ字状に配置された３個のアンカーボルト挿入孔１２を有する継手金物１１Ａや、Ｘ字状に配置された４個のアンカーボルト挿入孔１２を有する継手金物１１Ｂ、あるいは、並行に配置された継手金物１１，１１を連結部材１７を用いて連結した継手金物１１Ｃ等を用れば、隣接する３つ以上のセグメント同士を同時に締結することも可能である。
【００１１】
【発明の効果】
以上説明したように、本発明によれば、セグメント内面側の端部に、アンカー部材を、セグメント内面の法線方向に対してセグメントの接続面側とは反対の方向に傾けて埋設するとともに、隣接するセグメント間に継手金物を配置し、この継手金物を介して、隣接するセグメントの各アンカー部材にそれぞれボルトを螺入し、上記隣接するセグメント同士を結合するようにしたので、セグメント同士を互いに引寄せる力を作用させながら締結することができ、隣接するセグメント同士を確実に締結することができる。
【図面の簡単な説明】
【図１】本実施の形態に係る仮設セグメント継手の概要を示す図である。
【図２】本発明による継手金物の他の例を示す図である。
【図３】本実施の形態に係るセグメントの接続方法を示す模式図である。
【図４】本発明による継手金物の他の例を示す図である。
【図５】本発明による継手金物の他の例を示す図である。
【図６】従来のセグメントの接続方法を示す図である。
【図７】従来の仮設セグメント継手を示す図である。
【符号の説明】
１０  仮設セグメント継手、１１  継手金物、１２  アンカーボルト挿入孔、１３  アンカーボルト、１４  アンカー部材、１５  セグメント、
１６  面取り部、１７  連結部材。
【図１】
2005042368.tif 000003
【図２】
2005042368.tif 000004
【図３】
2005042368.tif 000005
【図４】
2005042368.tif 000006
【図５】
2005042368.tif 000007
【図６】
2005042368.tif 000008
【図７】
2005042368.tif 000009